(57)【特許請求の範囲】
【請求項１】
液体が付着されるターゲットを支持するための支持面を有する支持部材と、
該支持部材を加熱するための加熱装置と、
前記ターゲットを前記支持部材よりも上流側から前記支持面に対して摺動させつつ下流側へ搬送する搬送手段と、
前記支持面上に前記ターゲットが支持された状態において、該ターゲットの搬送方向に沿う方向を主走査方向として、該ターゲットにおける前記液体の付着処理により記録が施される記録処理領域に対する前記液体の付着処理を伴った主走査方向への移動と、前記液体の付着処理を伴わない副走査方向への移動とを繰り返すことにより、前記ターゲットの前記記録処理領域に対して記録を施す記録手段と
を備え、
前記支持部材は、前記加熱装置により加熱された場合に前記支持面内において相対的に温度が高くなる高温領域と相対的に温度が低くなる低温領域とを有し、
前記搬送手段は、前記ターゲットが前記支持面における前記高温領域と前記低温領域とに亘って支持された状態で、前記記録手段による前記記録処理領域に対する前記液体の付着処理が開始されてから前記記録処理領域の全域に対する前記液体の付着処理が終了するまでの間に少なくとも１回前記ターゲットの搬送を行い、該ターゲットの１回の搬送距離は、その搬送方向における前記低温領域の領域幅よりも短いことを特徴とする記録装置。
【請求項２】
搬送方向の上流側から下流側に搬送される途中で液体が付着されるターゲットを摺動させつつ支持するための支持面を有する支持部材が、前記支持面内において相対的に温度が高くなる高温領域と相対的に温度が低くなる低温領域とを有するように加熱されると共に、前記ターゲットが該ターゲットにおける前記液体の付着処理により記録が施される記録処理領域を前記支持面における前記高温領域と前記低温領域とに亘って支持された状態で、前記記録処理領域に対する前記液体の付着処理を伴った搬送方向に沿う主走査方向への移動と前記液体の付着処理を伴わない副走査方向への移動とを繰り返すことにより前記記録処理領域に記録を施す記録手段が、前記記録処理領域に対する前記液体の付着処理を開始してから前記記録処理領域の全域に対する前記液体の付着処理を終了するまでの間に、前記ターゲットの搬送を行うことを特徴とする記録方法。
【発明の詳細な説明】
【技術分野】
【０００１】
本発明は、記録装置、及び該記録装置における記録方法に関する。
【背景技術】
【０００２】
一般に、液体をターゲットに対して付着させることにより記録を施す記録装置として、インクジェット式プリンタ（以下、「プリンタ」という。）が広く知られている（例えば、特許文献１）。この特許文献１に記載のプリンタには、連続紙（ターゲット）を支持するためのプラテン（支持部材）と、プラテン上に支持される連続紙にインク（液体）を噴射するための記録ヘッド（液体噴射ヘッド）とが設けられている。また、プラテンには、連続紙をプラテン上に吸着保持するための複数の吸引孔が貫通形成されている。
【０００３】
そして、プラテンよりも搬送方向における上流側からプラテン上に連続紙が搬送されると、連続紙は、その搬送が一時停止されると共に、吸引孔を介してプラテン上に吸着される。そして、その状態において、記録ヘッドが連続紙上を移動しながら連続紙の印刷領域に対してインクを噴射するようになっている。その後、プラテン上の連続紙に対するインクの噴射が完了すると、連続紙は、プラテン上への吸着状態が解消されて、プラテンよりも搬送方向における下流側に搬送されるようになっている。
【０００４】
また、プラテン内には、プラテンを加熱するための加熱手段（例えばヒータ）が設けられている。この加熱手段からの熱は、プラテンを介して該プラテン上の連続紙に伝わるようになっている。その結果、連続紙は、記録ヘッドから連続紙上に噴射されたインクがプラテン上において少し乾燥された状態で、プラテンよりも搬送方向における下流側に搬送されるようになっていた。
【特許文献１】特開２００６−１５０７２３号公報
【発明の開示】
【発明が解決しようとする課題】
【０００５】
ところで、特許文献１のプリンタでは、図９に示すように、プラテン２７上に吸着された連続紙１２のうち、加熱されたプラテン２７と直に接している領域（以下、「接触領域」という。）Ｂの温度Ｔ１に比べて、吸引孔４４上に位置する領域（以下、「非接触領域」という。）Ｃの温度Ｔ２が低くなっていた（図９（ａ）参照）。すなわち、加熱手段により加熱されるプラテン２７には複数の吸引孔４４が形成されているので、吸引孔４４が形成された部分（低温領域）と吸引孔４４が形成されていない部分（高温領域）とでは温度差がある。
【０００６】
したがって、連続紙１２についても、プラテン２７の高温領域と直に接する接触領域Ｂの温度Ｔ１とプラテン２７の低温領域（吸引孔４４）上に位置する非接触領域Ｃの温度Ｔ２との間には温度差が生じることになっていた。そのため、プラテン２７上に停止した連続紙１２上においては、裏面側がプラテン２７と直に接触した接触領域Ｂの方が、裏面側が吸引孔４４上に位置する非接触領域Ｃに比べてインク溶媒の蒸発が活発に行われる。すなわち、接触領域Ｂと非接触領域Ｃとでは、インクの乾燥速度にばらつきが生じていた。
【０００７】
特に吸水性に乏しい連続紙１２を用いた場合、乾燥速度が遅い吸引孔４４上の非接触領域Ｃのインクには、乾燥速度が速いプラテン２７上の接触領域Ｂに向かう流れが発生する。そのため、液体としてのインクに含まれる溶質としての色素成分もプラテン２７と直に接している接触領域Ｂに向かって移動する。したがって、図９（ｂ），（ｃ）に示すように、インクが乾燥した後の連続紙１２の表面には、吸引孔４４の周縁と対応した付近に色素成分が集中してしまうことがあった。すなわち、連続紙１２の表面には吸引孔４４の周縁と対応した付近と、吸引孔４４の中央部と対応した領域との間に濃淡が生じて加熱斑を形成してしまい、印刷精度（画像品質）を低下させる虞があった。
【０００８】
本発明は、上記問題点に鑑みてなされたものであり、その目的は、ターゲットの加熱斑を散らすことにより、画像品質の低下を抑制することができる記録装置、及び記録方法を提供することにある。
【課題を解決するための手段】
【０００９】
上記目的を達成するために、本発明の記録装置は、液体が付着されるターゲットを支持するための支持面を有する支持部材と、該支持部材を加熱するための加熱装置と、前記ターゲットを前記支持部材よりも上流側から前記支持面に対して摺動させつつ下流側へ搬送する搬送手段と、前記支持面上に前記ターゲットが支持された状態において、該ターゲットの搬送方向に沿う方向を主走査方向として、該ターゲットにおける前記液体の付着処理により記録が施される記録処理領域に対する前記液体の付着処理を伴った主走査方向への移動と、前記液体の付着処理を伴わない副走査方向への移動とを繰り返すことにより、前記ターゲットの前記記録処理領域に対して記録を施す記録手段とを備え、前記支持部材は、前記加熱装置により加熱された場合に前記支持面内において相対的に温度が高くなる高温領域と相対的に温度が低くなる低温領域とを有し、前記搬送手段は、前記ターゲットが前記支持面における前記高温領域と前記低温領域とに亘って支持された状態で、前記記録手段による前記記録処理領域に対する前記液体の付着処理が開始されてから前記記録処理領域の全域に対する前記液体の付着処理が終了するまでの間に少なくとも１回前記ターゲットの搬送を行い、該ターゲットの１回の搬送距離は、その搬送方向における前記低温領域の領域幅よりも短い。
【００１０】
この構成によれば、ターゲットは搬送手段によって搬送方向の上流側から支持部材の支持面上に搬送される。そして、記録手段が搬送方向に沿うように主走査方向へ移動する途中に、支持面に支持されたターゲットの記録処理領域に液体を付着させる。すると、付着された液体のうち、支持面の高温領域に支持された記録処理領域上の液体は、支持部材から多くの熱が付与される。一方、支持面の低温領域に支持された記録処理領域上の液体は、高温領域に支持された領域に比べて付与される熱が少ない。そのため、ターゲットが記録処理領域の全域に対する液体付着処理の終了時点まで停止していると、その記録処理領域を支持する支持面における高温領域と低温領域の温度差により、記録処理領域上での液体の乾燥速度に差が生じる。
【００１１】
しかし、この構成では、記録処理領域への液体の付着処理が開始されてから記録処理領域の全域に対する液体の付着処理が終了するまでの間に、搬送手段によってターゲットの搬送を行うようにしている。その結果、ターゲットの記録処理領域においては、支持面の高温領域及び低温領域に支持される領域の境目が変化することになる。そのため、ターゲットの記録処理領域では、液体の乾燥に伴って境目付近に集中する溶質成分の偏りを拡散させることができる。すなわち、搬送されるターゲットでは、乾燥速度の速い領域と遅い領域が入れ替わることになるため、乾燥速度の差に応じて支持面と平行な方向に発生する液体の流れの方向も変更することになる。
【００１２】
また、ターゲットの搬送に伴う移動距離を、搬送方向における低温領域の領域幅よりも短くすることにより、ターゲットにおいて低温領域に支持されて乾燥速度の遅い領域の一部が高温領域に支持されるようになる。そのため、記録処理領域の全域へ液体が付着される間に、局所的な溶質成分の偏りの発生を抑制して、高温領域と低温領域の各領域に支持されるターゲットに付着された液体の境界をぼかすことができる。
【００１３】
なお、液体が付着したターゲットは、搬送手段によって支持面に対して摺動しながら支持面上を徐々に搬送される。そしてターゲットは、支持部材から熱を受けてある程度乾燥させられた後、更に下流側へ搬送される。そのため、ターゲットの画像品質を良好に維持する液体の付着及び乾燥と、ターゲットの搬送を連続して行うことができる。
【００１４】
したがって、加熱された支持部材の支持面上にターゲットを支持する。そして、記録手段が記録処理領域に対する液体の付着処理を伴った主走査方向への移動と液体の付着処理を伴わない副走査方向への移動を繰り返すことにより、ターゲットの記録処理領域に記録を施す。すなわち、このように記録を施す記録装置において、液体中に含まれる溶質成分が、液体の乾燥に伴ってターゲットに局所的に定着することが抑制されるため、画像品質の低下を抑制することができる。
【００１５】
次に、本発明の記録方法は、搬送方向の上流側から下流側に搬送される途中で液体が付着されるターゲットを摺動させつつ支持するための支持面を有する支持部材が、前記支持面内において相対的に温度が高くなる高温領域と相対的に温度が低くなる低温領域とを有するように加熱されると共に、前記ターゲットが該ターゲットにおける前記液体の付着処理により記録が施される記録処理領域を前記支持面における前記高温領域と前記低温領域とに亘って支持された状態で、前記記録処理領域に対する前記液体の付着処理を伴った搬送方向に沿う主走査方向への移動と前記液体の付着処理を伴わない副走査方向への移動とを繰り返すことにより前記記録処理領域に記録を施す記録手段が、前記記録処理領域に対する前記液体の付着処理を開始してから前記記録処理領域の全域に対する前記液体の付着処理を終了するまでの間に、前記ターゲットの搬送を行う。
【００１６】
この構成によれば、記録処理領域の一部は高温領域に支持されていると共に、他の部分は低温領域にそれぞれ支持されている。そのため、記録手段による液体の付着が低温領域から高温領域に亘って行われた場合、液体が支持部材から受ける熱量が異なるため、各領域において乾燥速度に差が生じる。そして、ターゲット表面に連続して付着した液体中において、乾燥速度に差が生じると、液体は乾燥速度が遅い領域から速い領域に向かって液体の流れが発生する。すなわち、ターゲットには、液体の乾燥に伴って高温領域と低温領域の境目付近に溶質成分が定着する。しかし、記録処理領域に対する液体の付着処理を開始してから記録処理領域の全域に対する液体の付着処理を終了するまでの間に、ターゲットを搬送する。これにより、支持部材に支持された状態で蒸発する溶媒の量が増加した場合でも、溶質成分の定着位置を変化させて局所的な集中を抑制し、画像品質の低下を抑制することができる。
【発明を実施するための最良の形態】
【００１７】
（第１の実施形態）
以下、本発明の記録装置をインクジェット式プリンタに具体化した第１の実施形態を図面に基づいて説明する。なお、以下の説明において、「上下方向」、「左右方向」をいう場合は、図１に矢印で示した方向を基準として示すものとする。また、「前後方向」をいう場合は、図１において紙面に直交する方向であり、図２に矢印で示した方向を示すものとする。
【００１８】
図１に示すように、記録装置としてのインクジェット式プリンタ（以下、「プリンタ」という。）１１は、ターゲットとしての長尺状の連続紙１２を繰り出す繰り出し部１３と、該繰り出し部１３から繰り出された連続紙１２に順次印刷（記録）を行う本体部１４と、該本体部１４で印刷が行われた連続紙１２を巻き取る巻き取り部１５とを備えている。すなわち、本体部１４は直方体状の本体ケース１６を備えている。そして、連続紙１２の搬送方向において上流側となる本体ケース１６の左側に繰り出し部１３が配設されると共に下流側となる本体ケース１６の右側に巻き取り部１５が配設されている。
【００１９】
繰り出し部１３は、本体ケース１６の左面下端部から左方に延びる支持板１７を備えている。この支持板１７の左端部には前方（図１において紙面と直交する方向の手前側）に向かって延びる巻き軸１８が支持板１７に対して回転可能に支持されている。そして、巻き軸１８には予めロール状に巻かれた連続紙１２が該巻き軸１８と一体回転可能に支持されている。なお、本実施形態の連続紙１２には、吸水性に乏しい、もしくは撥水性などを有して、付着したインク（液体）が表面付近で乾燥する用紙が用いられている。
【００２０】
また、繰り出し部１３は本体ケース１６の左面中央部から左方に向かって水平に延びる平板状の繰り出し台１９を備えている。そして、繰り出し台１９の先端部には巻き軸１８から繰り出される連続紙１２を巻き掛けて繰り出し台１９の上面に導くための中継ローラ２０が回転可能に設けられている。連続紙１２は繰り出し台１９の上面に沿って右側（本体部１４側）に向かって搬送される。
【００２１】
本体部１４の本体ケース１６内における上下方向の中央部よりやや上寄りの位置には、本体ケース１６内を上下に区画する平板状の基台２１が設けられている。なお、本体ケース１６内における基台２１よりも上側の領域は連続紙１２に印刷を行うための印刷室２２となっている。
【００２２】
本体ケース１６の左壁には繰り出し台１９の上面から本体ケース１６内に連続紙１２を搬入するための図示しない搬入口が設けられている。そして、本体部１４には上記搬入口と近傍位置で対向するように搬送手段として機能する引き込み駆動ローラ２３が回転駆動可能に設けられている。なお、引き込み駆動ローラ２３の回転駆動は、本体ケース１６内の図示しない制御ボックスに配置された制御手段としての制御装置２４（図１参照）の制御信号に基づき制御される。
【００２３】
また、本体ケース１６内における引き込み駆動ローラ２３の右斜め下方には中継ローラ２５が回転可能に設けられている。そして、引き込み駆動ローラ２３の駆動によって本体ケース１６内に引き込まれた連続紙１２は、印刷室２２の左端部寄りの位置に向かうように中継ローラ２５に巻き掛けられている。
【００２４】
印刷室２２内における中継ローラ２５の右斜め上方には中継ローラ２６が設けられている。この中継ローラ２６には、連続紙１２が左側下方から巻き掛けられて右方向に水平に搬送されるようになっている。
【００２５】
印刷室２２内における中継ローラ２６の右側の領域には、基台２１上に支持された矩形板状の支持部材としてのプラテン２７が設けられている。プラテン２７の右側には、該プラテン２７を挟んで中継ローラ２６と対向するように転換ローラ２８が設けられている。この場合、中継ローラ２６の上面、プラテン２７の上面、及び転換ローラ２８の上面は、互いに面一になっている。
【００２６】
転換ローラ２８には中継ローラ２６からプラテン２７の上面に沿って水平右方向に搬送される連続紙１２が左側上方から巻き掛けられて連続紙１２の搬送方向が水平右方向から鉛直下方向に転換されている。そして、転換ローラ２８によって搬送方向が鉛直下方向に転換された連続紙１２は、基台２１に設けられた図示しない挿通孔を通って鉛直下方に搬送されるようになっている。
【００２７】
印刷室２２内におけるプラテン２７の前後両側には主走査方向となる左右方向に延びるガイドレール２９（図１では二点鎖線で示す）が対をなすように設けられている。このガイドレール２９の上面は、プラテン２７の上面よりも高くなっている。両ガイドレール２９の上面には、矩形板状のキャリッジ３０が該両ガイドレール２９に沿って左右方向へ往復移動可能な状態で支持されている。そして、キャリッジ３０は、制御装置２４の制御信号に基づき両ガイドレール２９上を左右方向に移動するようになっている。
【００２８】
そして、キャリッジ３０の下面には、図示しないスライド板がキャリッジ３０に対して副走査方向となる前後方向にスライド移動可能に支持されている。スライド板の下面には、記録手段としての記録ヘッド３１が支持されている。
【００２９】
また、印刷室２２内における本体ケース１６の上壁には、インクを一時貯留するためのバルブユニット３４が設けられている。各バルブユニット３４には、互いに色の異なるインクが一時貯留されている。
【００３０】
そして、各バルブユニット３４は、記録ヘッド３１とそれぞれ図示しないインク供給チューブを介して接続されており、該各インク供給チューブを介して記録ヘッド３１に各インクを供給するようになっている。また、記録ヘッド３１の下面には図示しない複数のノズルが設けられている。このプリンタ１１では、各バルブユニット３４から供給されたインクを制御装置２４の制御信号に基づき、該各ノズルからプラテン２７上に搬送されて停止された状態の連続紙１２に向かって噴射する。これにより連続紙１２に印刷が行われるようになっている。
【００３１】
また、連続紙１２においては、印刷が行われるときにプラテン２７の上面（支持面）に支持される領域が記録処理領域としての印刷領域Ａとされている。この連続紙１２は、該連続紙１２の搬送経路を上流側から下流側に印刷領域Ａ単位で間欠的に搬送されるようになっている。そして、記録ヘッド３１は、キャリッジ３０の左右方向への移動に伴って連続紙１２の印刷領域Ａ上を左右方向に移動しながらインクを噴射する。さらに、記録ヘッド３１は、スライド板によって前後方向に位置をずらすことにより移動経路を変更して印刷領域Ａの全域に対してインクを噴射するようになっている。
【００３２】
図１に示すように、転換ローラ２８に巻き掛けられて鉛直下方向に搬送された連続紙１２は、本体ケース１６内における転換ローラ２８の鉛直下方となる位置に回転可能に配設された反転ローラ３８に左側上方から巻き掛けられる。そして、連続紙１２は、やや右斜め上方に向かって搬送される。さらに、反転ローラ３８から搬送された連続紙１２は、本体ケース１６内における反転ローラ３８の右方に回転可能に設けられた中継ローラ３９に左側下方から巻き掛けられる。そして、連続紙１２は、本体ケース１６内を本体ケース１６の右壁に沿うように上方に向かって搬送される。なお、印刷領域Ａで印刷された後の連続紙１２は、本体ケース１６内を搬送される過程で自然乾燥されることとなる。
【００３３】
また、本体ケース１６の右壁における基台２１の近傍位置には連続紙１２を巻き取り部１５側へ搬出するための図示しない搬出口が設けられている。本体ケース１６内における上記搬出口と近傍位置で対向するように搬送手段として機能する送り出し駆動ローラ４０が回転駆動可能に設けられている。そして、制御装置２４の制御信号に基づいて送り出し駆動ローラ４０を駆動することで、連続紙１２が上記搬出口を介して巻き取り部１５側へ送り出されるようになっている。
【００３４】
巻き取り部１５は、直方体状の巻き取りフレーム４１を備えている。この巻き取りフレーム４１の高さは送り出し駆動ローラ４０の高さとほぼ同じになっている。また、巻き取りフレーム４１の上端部には中継ローラ４２が回転可能に設けられている。そして、上記搬出口から送り出された連続紙１２は、中継ローラ４２に左側上方から巻き掛けられ、右斜め下方に向けて搬送される。
【００３５】
巻き取りフレーム４１における中継ローラ４２の右斜め下方には前方に向かって延びる搬送手段として機能する巻き取り駆動軸４３が巻き取りフレーム４１に対して回転駆動可能に支持されている。巻き取り駆動軸４３には中継ローラ４２から右斜め下方に向かって搬送された連続紙１２が巻き付けられている。制御装置２４の制御信号に基づき該巻き取り駆動軸４３を回転駆動することで巻き取り駆動軸４３に連続紙１２が順次巻き取られるようになっている。
【００３６】
次に、プラテン２７の構成について図２に基づき以下説明する。
図２に示すように、プラテン２７には、該プラテン２７を上下方向（プラテン２７の厚み方向）に貫通する多数の吸引孔４４が形成されている。すなわち、吸引孔４４は、プラテン２７の上面（支持面）、及び下面（反支持面）上に開口するように形成される。なお、各面側の開口の口径は等しくなっている。
【００３７】
さらに、各吸引孔４４は、複数（図２では１６個）の吸引孔４４が前後方向に沿う複数列（図２では１９列）の吸引孔列４５を左右方向に所定間隔をおいて形成するように規則的に配列されている。また、プラテン２７の下側（即ち、プラテン２７と基台２１との間の領域）には、各吸引孔４４内の空気を吸引するための吸引手段としてのファン４６が設けられている。そして、各ファン４６は制御装置２４の制御信号に基づき駆動することで各吸引孔４４内に負圧を発生させる。そして、負圧の発生によりプラテン２７越しに各吸引孔４４を介して連続紙１２が吸引され、プラテン２７の上面に連続紙１２が吸着されるようになっている。
【００３８】
次に、上記プラテン２７を加熱するための加熱装置について図２に基づき以下説明する。
図２に示すように、加熱装置４７は、プラテン２７内に埋設される複数（本実施形態では３つ）のヒータ４８，４９，５０と、各ヒータ４８，４９，５０に発熱させるべくヒータ４８，４９，５０毎に個別に電流を供給するための装置本体５１とを備えている。これら各ヒータ４８，４９，５０は、プラテン２７内において左右方向に並ぶように（即ち、左右方向における位置が異なるように）それぞれ配置されている。そして、各ヒータ４８，４９，５０は、装置本体５１から個別に電流が供給されることによりそれぞれ発熱するようになっている。そして、各ヒータ４８，４９，５０からの熱は、プラテン２７を介して該プラテン２７上の連続紙１２に伝わるようになっている。
【００３９】
各ヒータ４８，４９，５０は、一本の長尺部材の複数箇所に曲げ加工を施すことによりそれぞれ形成されている。すなわち、各ヒータ４８，４９，５０は、前後方向に延びると共に、左右方向において互いに隣り合う吸引孔列４５間毎に配置される複数（本実施形態では６つ）の第１加熱部５２と、左右方向において一つの吸引孔列４５を挟んだ配置態様の第１加熱部５２同士を連結するための複数（本実施形態では５つ）の第２加熱部５３とを備えた構成とされている。
【００４０】
各第１加熱部５２は、それぞれの前後方向における長さが吸引孔列４５の前後方向における長さよりも長くなるようにそれぞれ形成されている。また、各第１加熱部５２は、左右両側に位置する両吸引孔列４５の左右方向における中央にそれぞれ配置されている。そのため、第１加熱部５２と該第１加熱部５２と左右方向において隣り合う吸引孔列４５との間の距離は、それぞれ所定距離ｒになる。
【００４１】
各第２加熱部５３は、左右方向において同一位置となる吸引孔列４５の前後方向（即ち、吸引孔列４５の延設方向）における端部に位置する吸引孔４４を中心に円弧状をなすようにそれぞれ形成されている。すなわち、各第２加熱部５３のうち吸引孔列４５よりも前側に位置する第２加熱部５３は、吸引孔列４５の前端部に位置する吸引孔４４を中心に曲率半径が所定距離ｒとなる円弧状をなすように形成されている。また、各第２加熱部５３のうち吸引孔列４５よりも後側に位置する第２加熱部５３は、吸引孔列４５の後端部に位置する吸引孔４４を中心に曲率半径が上記所定距離ｒとなる円弧状をなすように形成されている。
【００４２】
そのため、プラテン２７においては、各吸引孔４４が貫通形成された領域（以下、「低温領域」という。）の温度と、各吸引孔４４が貫通形成されていない領域（以下、「高温領域」という。）の温度との間に温度差ができることになる。したがって、こうしたプラテン２７上に支持される連続紙１２においては、プラテン２７の高温領域と直に接触して加熱される接触領域Ｂの温度の方がプラテン２７の低温領域（すなわち、吸引孔４４）上に位置する非接触領域Ｃの温度よりも高温になっている（図３参照）。
【００４３】
次に、第１の実施形態のプリンタ１１の作用について、加熱装置４７によって加熱されたプラテン２７上に搬送された連続紙１２の印刷領域Ａに対してインクの噴射により例えばベタ印刷する際の作用を中心に記載する。なお、プラテン２７上に配置される連続紙１２は、その前後方向における両端部（両縁部）が各ヒータ４８，４９，５０の第２加熱部５３の配置位置よりも内側に位置するものとする。
【００４４】
さて、プリンタ１１による連続紙１２に対する印刷が開始される場合、制御装置２４は、引き込み駆動ローラ２３、送り出し駆動ローラ４０、巻き取り駆動軸４３を駆動する。すなわち、制御装置２４は、連続紙１２をプラテン２７の上面に対して摺動させつつ上流側から下流側に搬送して、その連続紙１２を印刷領域Ａがプラテン２７上に位置するように停止させる。このとき、引き込み駆動ローラ２３、送り出し駆動ローラ４０、巻き取り駆動軸４３は搬送手段として機能している。
【００４５】
さらに制御装置２４は、プラテン２７の下方に配置された各ファン４６を駆動することにより、各吸引孔４４内の空気を吸引する。すると、連続紙１２のうちプラテン２７に支持される部分（図２では二点鎖線で示す。）が、プラテン２７の上面に吸着される。また、装置本体５１の駆動に基づきヒータ４８，４９，５０がそれぞれ発熱すると、連続紙１２の印刷領域Ａのうち接触領域Ｂにはプラテン２７を介して各ヒータ４８，４９，５０からの熱が伝えられる。
【００４６】
この状態において制御装置２４は、印刷領域Ａの右後方位置から左方に向かって（主走査方向に）キャリッジ３０を移動させて、キャリッジ３０と共に移動する記録ヘッド３１から連続紙１２に対してインクを噴射させる。このとき、記録ヘッド３１がインクの噴射を開始する印刷開始位置は、印刷領域Ａの右端よりも左方寄りの位置とする。そして、キャリッジ３０がガイドレール２９に沿って左方へ移動して、印刷領域Ａの左端となる位置まで移動すると、制御装置２４は、一旦、記録ヘッド３１からのインクの噴射を停止させる。そして、印刷領域Ａの左端位置において、そこまでの左方への移動中に記録ヘッド３１が噴射したインクの前後方向における噴射幅分、スライド板（図示略）を前方（副走査方向）へスライド移動させる。
【００４７】
このとき、図３（ａ）（ｂ）に示すように、連続紙１２の印刷領域Ａ内においては、プラテン２７における低温領域（吸引孔４４）上と高温領域（プラテン２７の上面）上とに亘ってインクが一面に噴射されたことによりベタ印刷領域Ａ１が形成されている。しかし、このベタ印刷領域Ａ１の各部分（接触領域Ｂ、及び非接触領域Ｃ）の温度には差が生じている。そのため、連続紙１２に噴射されたインクのインク溶媒（例えば、水や有機溶剤）が蒸発する速度は、ベタ印刷領域Ａ１内においてインクが噴射された位置（接触領域Ｂ又は非接触領域Ｃ）に応じて差が生じている。すなわち、そのベタ印刷領域Ａ１内においてインクの着弾時にプラテン２７の低温領域上に位置した領域部分を初期非接触領域Ｃ１とすると、初期非接触領域Ｃ１に噴射されたインクＥの乾燥速度は遅い。そのため、その初期非接触領域Ｃ１の中央部から周縁に向かってインクの流れが発生する。
【００４８】
しかし、制御装置２４は、一旦、記録ヘッド３１からのインクの噴射を停止させると、ファン４６の吸引駆動を停止させると共に、引き込み駆動ローラ２３、送り出し駆動ローラ４０、巻き取り駆動軸４３を駆動する。すなわち、制御装置２４は、連続紙１２をプラテン２７に対する相対移動距離としての移動距離Ｄだけ搬送方向下流側（右側）へ移動させる。なお、プラテン２７は固定されたままである。すなわち、連続紙１２とプラテン２７は、固定されたプラテン２７の上面（支持面）に沿って連続紙１２がプラテン２７に対して移動距離Ｄだけ下流側へ移動する。
【００４９】
そして、プラテン２７と連続紙１２を相対移動させると、図４（ａ）（ｂ）に示すように、初期非接触領域Ｃ１のうち下流側（右側）の一部は、吸引孔４４上（つまり低温領域）からプラテン２７上（つまり高温領域）に移動して接触領域Ｂとなる。そして、吸引孔４４上には、吸引孔４４の下流側で新たに接触領域Ｂとなった領域と同面積の接触領域Ｂが吸引孔４４より上流側から移動距離Ｄだけ下流側に移動して、新たな非接触領域Ｃ２の一部となる。
【００５０】
そのため、乾燥速度の遅い初期非接触領域Ｃ１から乾燥速度の速い接触領域Ｂに向かうように生じるインクＥの流れは、新たに低温領域に位置した非接触領域Ｃ２に対応して向きが変化する。そのため、インクＥの流れと共にインクＥ中の色素成分（例えば、顔料や染料）の偏りを抑制することができる。
【００５１】
さらに、プラテン２７と連続紙１２の相対移動の前後に低温領域に各々位置した非接触領域Ｃ１、Ｃ２が連続紙１２に占める面積は、低温領域の面積（吸引孔４４の上面側の開口の面積）よりも大きくなる。そのため、非接触領域Ｃと該非接触領域Ｃの周辺に位置する接触領域Ｂが、単位面積あたりに受ける熱量が平均化されるため、色素成分の偏りも拡散される。
【００５２】
なお、移動距離Ｄは、搬送方向において低温領域となる吸引孔４４の開口径（すなわち、低温領域の領域幅）よりも短くなる。さらに、印刷領域Ａの全域に対する印刷における移動距離Ｄの合計距離が、印刷領域Ａにインクの噴射を開始する印刷開始位置と印刷領域Ａの下流端（右端）との距離よりも短くなっている。そして、本実施形態では、移動距離Ｄを搬送方向において吸引孔４４の開口径の半径と等しくなるようにしている。
【００５３】
連続紙１２を移動させた後、すなわち、連続紙１２とプラテン２７が相対移動した状態で、制御装置２４はファン４６を駆動させる。さらに、制御装置２４は、キャリッジ３０を連続紙１２と同様に移動距離Ｄだけ搬送方向下流側（右側）へ移動させた位置において、記録ヘッド３１からインクの噴射を開始させる。そして、制御装置２４は、キャリッジ３０をガイドレール２９に沿って右方（主走査方向）へ移動させ、前後方向において印刷開始位置に対応する位置まで移動させると、インクの噴射を一旦停止すると共に、ファン４６の駆動を停止させる。
【００５４】
そして、制御装置２４は、引き込み駆動ローラ２３、送り出し駆動ローラ４０、巻き取り駆動軸４３を駆動する。すなわち、制御装置２４は、連続紙１２を移動距離Ｄだけ搬送方向下流側（右側）へ移動させて、プラテン２７と連続紙１２を相対移動させる。これにより、図５（ａ）（ｂ）に示すように、初期非接触領域Ｃ１の全域がプラテン２７上（高温領域）に位置して接触領域Ｂとなる。そして、上流側からは、接触領域Ｂが下流側に移動して低温領域に位置し、新たに非接触領域Ｃ３となる。そのため、インクＥはプラテン２７から熱が付与されて乾燥し、色素成分の偏りは、より抑制されることになる。
【００５５】
このとき、制御装置２４は、さらにキャリッジ３０を移動距離Ｄよりも長い距離だけ搬送方向下流側へ移動した後、右方への移動中に噴射したインクの前後方向における噴射幅分、前方へ移動させる。そして、制御装置２４は、ファン４６を駆動させると共に、前後方向において印刷開始位置に対応する位置からインクを噴射しながらキャリッジ３０を左方へ移動させる。そのため、記録ヘッド３１は、連続紙１２とプラテン２７とが相対移動する合間に、左右方向への往復移動と前方への移動とを繰り返して印刷領域Ａの全域に印刷を実行する。
【００５６】
その後、印刷領域Ａの全域へ印刷が完了すると、制御装置２４によって、ファン４６の駆動が停止されて連続紙１２のプラテン２７への吸着状態が解除される。さらに、制御装置２４により引き込み駆動ローラ２３、送り出し駆動ローラ４０、巻き取り駆動軸４３が駆動されて、連続紙１２は巻き取り部１５側に搬送される。
【００５７】
上記第１の実施形態によれば、以下のような効果を得ることができる。
（１）プラテン２７の上面上に支持された連続紙１２の印刷領域Ａに向けて噴射されたインクのうち、高温領域に支持された接触領域Ｂ上のインクは、プラテン２７から多くの熱が付与される。一方、低温領域上に位置する非接触領域Ｃ上のインクは、高温領域に支持された接触領域Ｂに比べて付与される熱が少ない。そのため、連続紙１２では、高温領域と低温領域との温度差に伴って、インクの乾燥速度に差が生じる。しかし、上記実施形態では、印刷領域Ａへのインクの噴射が開始されてから印刷領域Ａの全域に対するインクの噴射が終了するまでの間に、プラテン２７と連続紙１２とを相対移動させるようにしている。その結果、連続紙１２において高温領域及び低温領域に支持される領域の境目が変化することになり、インクの乾燥に伴って境目付近に集中する色素成分の偏りを拡散させることができる。また、相対移動に伴って連続紙１２では、乾燥速度の速い接触領域Ｂと遅い非接触領域Ｃが入れ替わるため、乾燥速度の差に応じて上面と平行な方向に発生するインクの流れの方向も変更することになる。したがって、記録ヘッド３１が左右方向及び前後方向への移動を繰り返して印刷を施すプリンタ１１では、連続紙１２がプラテン２７の上面に支持される時間が長くなり、その分多くのインク溶媒が蒸発する。しかし、このようなプリンタ１１でも、インク中に含まれる色素成分が、インクの乾燥に伴って連続紙１２に局所的に定着することが抑制されるため、画像品質の低下を抑制することができる。
【００５８】
（２）印刷領域Ａの全域に対するインクの噴射が終了するまでの間、インクが噴射される印刷領域Ａがプラテン２７の上面から外れないため、連続紙１２の平面性を確保して安定的にインクを噴射することができる。さらに、印刷領域Ａ内において、印刷領域Ａよりも狭い領域ごとに順次インクの噴射を行うような場合でも、インクを噴射させる順序にかかわらず、印刷領域Ａの全域へのインクの噴射が可能となる。
【００５９】
（３）引き込み駆動ローラ２３、送り出し駆動ローラ４０、巻き取り駆動軸４３を駆動させることにより、連続紙１２において低温領域に支持されて乾燥速度の遅い非接触領域Ｃの一部が高温領域に支持されるようになる。そのため、印刷領域Ａへ液体が噴射される間に、局所的な色素成分の偏りの発生を抑制して、高温領域と低温領域の各領域に支持される連続紙１２に噴射されたインクの境界をぼかすことができる。
【００６０】
（４）連続紙１２はプラテン２７に吸着支持されることにより、印刷領域Ａの平面性が向上すると共に、プラテン２７と接触して効率よく熱が付与される。そして、プラテン２７の上面上に支持された連続紙１２に向けて噴射されたインクのうち、連続紙１２における高温領域となる上面と直に接触して高温となる接触領域Ｂ上のインクは、プラテン２７を介して加熱装置４７によって加熱される。一方、連続紙１２における低温領域となる吸引孔４４と対応して低温となる非接触領域Ｃ上のインクは加熱装置４７からの熱を受けにくい。そのため、接触領域Ｂと非接触領域Ｃの乾燥速度の差に基づいて、非接触領域Ｃの中央部から周縁に向かって上面と平行な方向へのインクの流れが発生する。そこで、プラテン２７と連続紙１２とを相対移動させ、非接触領域Ｃの一部を高温領域上へ位置させる。すなわち、接触領域Ｂの一部を低温領域へ位置させると、インクの流れは相対移動後に新たに吸引孔４４上に位置した非接触領域Ｃの周縁に向かうように変化する。そのため、印刷領域Ａの各領域は、それぞれ吸引孔４４上に位置して非接触領域Ｃとなる時間が短くなり、該非接触領域Ｃの周辺部での乾燥度合いも抑えられる。したがって、印刷領域Ａにインクの噴射を開始してから終了するまでの間に、吸引孔４４上に位置して非接触領域Ｃとなった連続紙１２の領域において、色素成分の偏りを拡散することができる。
【００６１】
（５）インクの噴射時には、プラテン２７の上面に対して連続紙１２の印刷領域Ａが吸着支持される。一方、連続紙１２とプラテン２７とを相対移動させる際には、ファン４６の駆動を停止させる。これにより、ファン４６の吸引力を考慮せずに連続紙１２を良好に下流側へ移動させることができる。
【００６２】
（６）連続紙１２は引き込み駆動ローラ２３、送り出し駆動ローラ４０、巻き取り駆動軸４３によって上流側からプラテン２７の上面上に搬送される。そして、プラテン２７の上面上に支持された連続紙１２に対してインクが噴射されると、そのインクは連続紙１２と相対移動するプラテン２７から熱を受けてある程度乾燥させられる。その後、さらに連続紙１２は下流側へ搬送される。そのため、連続紙１２の画像品質を良好に維持するインクの噴射及び乾燥と、連続紙１２の搬送を連続して行うことができる。
【００６３】
（７）印刷領域Ａへのインクの噴射が開始されてから印刷領域Ａの全域に対するインクの噴射が終了するまでの間に、引き込み駆動ローラ２３、送り出し駆動ローラ４０、巻き取り駆動軸４３を駆動する。これにより、連続紙１２を移動させてプラテン２７と連続紙１２とを相対移動させることができる。そのため、連続紙１２とプラテン２７とを相対移動させる手段を別途設ける必要がなく、プラテン２７、加熱装置４７、引き込み駆動ローラ２３、送り出し駆動ローラ４０、巻き取り駆動軸４３、制御装置２４を備えた装置の小型化に貢献することができる。
【００６４】
（第２の実施形態）
次に、本発明の第２の実施形態を図２、図６〜図８に従って説明する。なお、第２の実施形態は、第１の実施形態とは連続紙１２とプラテン２７との相対移動のさせ方を変更した点でのみ構成が相違しており、その他の構成は共通しているため、同様の構成部分については同一符号を付すことにして、その詳細な重複説明を省略する。
【００６５】
図２に示すように、連続紙１２の搬送方向と直交する方向において、プラテン２７の幅は連続紙１２の幅よりも大きく、吸引孔４４及びヒータ４８，４９，５０は連続紙１２の幅よりも広い範囲に形成されている。
【００６６】
そして、プラテン２７に埋設された各ヒータ４８，４９，５０は、装置本体５１と可撓性を有した配線を介して接続されている。そして、プラテン２７は、図示しないプラテン移動機構（移動手段）が備えるモータの駆動に基づき前後方向へ往復移動するように構成されている。なお、プラテン移動機構のモータの回転駆動は、制御装置２４の駆動信号に基づき制御され、このモータが正転駆動された場合には、プラテン２７は前方へ移動する。一方、このモータが逆転駆動された場合には、プラテン２７は後方へ移動するようになっている。すなわち、プラテン２７は、水平方向（上面と平行な方向）に移動する。
【００６７】
なお、第２の実施形態では、引き込み駆動ローラ２３、送り出し駆動ローラ４０、巻き取り駆動軸４３は搬送手段としてのみ機能している。
次に、第２の実施形態のプリンタ１１の作用について、プラテン２７よりも上流側から下流側へ搬送される連続紙１２のうち、プラテン２７上に搬送されて支持された印刷領域Ａに対して印刷を行う際の作用を中心に記載する。
【００６８】
さて、プラテン２７上に搬送された連続紙１２に対する印刷が開始される場合、制御装置２４はプラテン移動機構のモータを逆転駆動させてプラテン２７を初期位置に位置させる。さらに制御装置２４は、ファン４６を駆動することにより、印刷領域Ａをプラテン２７の上面に吸着支持させる。
【００６９】
この状態において、キャリッジ３０は、印刷領域Ａの右端の後方位置から左方に向かって移動し、キャリッジ３０と共に移動する記録ヘッド３１から連続紙１２に対してインクを噴射する。そして、キャリッジ３０がガイドレール２９に沿って左方へ移動して、印刷領域Ａの左端となる位置まで移動すると、一旦、記録ヘッド３１からのインクの噴射が停止する。そして、キャリッジ３０は、印刷領域Ａの左端位置において、左方への移動中に噴射したインクの前後方向における噴射幅分、スライド板（図示略）をスライドさせて前方へ移動する。
【００７０】
このとき、図６（ａ）（ｂ）に示すように、連続紙１２における印刷領域Ａのベタ印刷領域Ａ１内において高温領域となるプラテン２７と直に接触する領域は接触領域Ｂとなると共に、低温領域となる吸引孔４４上に位置する領域は初期非接触領域Ｃ１となる。そして、該初期非接触領域Ｃ１に噴射されたインクＥに付与される熱量は、接触領域Ｂに噴射されたインクに付与される熱量よりも少なくなっている。
【００７１】
そして、制御装置２４はファン４６の駆動を停止して連続紙１２のプラテン２７に対する吸着状態を解除する。さらに、制御装置２４は、モータを正転駆動して、プラテン２７を移動距離Ｄだけ前後方向（相対移動方向）において前側へ移動させて、プラテン２７と連続紙１２を相対移動させる。すると、図７（ａ）（ｂ）に示すように、初期非接触領域Ｃ１のうち後側の一部はプラテン２７上（高温領域）に位置して接触領域Ｂとなる。そして初期非接触領域Ｃ１より前側では、接触領域Ｂが吸引孔４４上（低温領域）に位置して、新たに非接触領域Ｃ２の一部となる。
【００７２】
なお、移動距離Ｄは、印刷領域Ａの全域に対する印刷における移動距離Ｄの合計距離が、初期位置に位置したプラテン２７の後端と連続紙１２の後端との距離よりも短くなるようになっている。
【００７３】
プラテン２７を移動させた後、すなわち、連続紙１２とプラテン２７が相対移動した状態で、制御装置２４はファン４６を駆動させる。さらにキャリッジ３０をガイドレール２９に沿って右方へ移動させながら、記録ヘッド３１からプラテン２７に吸着支持された印刷領域Ａに対してインクを噴射させる。そして、印刷領域Ａの右端となる位置まで移動すると、一旦、記録ヘッド３１からのインクの噴射を停止する。
【００７４】
そして、制御装置２４は、モータを正転駆動させて、プラテン２７を移動距離Ｄだけ前側へ移動させる。これにより、図８（ａ）（ｂ）に示すように、初期非接触領域Ｃ１の全域がプラテン２７上に位置して接触領域Ｂとなる。そして、さらに接触領域Ｂが低温領域に位置し、新たに非接触領域Ｃ３となる。
【００７５】
そして、インクを噴射した前後方向における噴射幅分だけ前方へ移動させると共に、ファン４６を駆動させる。その後、同様にキャリッジ３０を左方へ移動させ、キャリッジ３０は左右方向への往復移動と前方への移動とを繰り返して印刷領域Ａの全域に印刷を実行する合間にプラテン２７を連続紙１２に対して相対移動させている。
【００７６】
なお、印刷領域Ａの全域への印刷が完了すると、制御装置２４によってファン４６の駆動が停止される。さらに、制御装置２４によりモータが逆転駆動されてプラテン２７は後方へ移動し、初期位置に位置する。また、連続紙１２は引き込み駆動ローラ２３、送り出し駆動ローラ４０、巻き取り駆動軸４３の駆動に基づいて搬送方向において下流へ搬送される。
【００７７】
上記第２の実施形態によれば、第１の実施形態における（１）〜（７）の効果に加えて、さらに以下のような効果を得ることができる。
（８）印刷領域Ａへのインクの噴射が開始されてから印刷領域Ａの全域に対する液体の噴射が終了するまでの間に、プラテン２７を連続紙１２に対して移動させるようにしている。その結果、連続紙１２において高温領域及び低温領域に支持される接触領域Ｂ及び非接触領域Ｃの境目が変化することになり、インクの乾燥に伴って境目付近に集中する色素成分の偏りを拡散させることができる。
【００７８】
（９）プラテン２７を移動させてプラテン２７と連続紙１２を相対移動させることにより、連続紙１２とキャリッジ３０の位置関係は変化しない。そのため、プラテン２７と連続紙１２の相対移動に伴うインクを噴射する位置を変更する必要がなく、制御を簡素化することができる。
【００７９】
なお、上記実施形態は以下のように変更してもよい。
・上記各実施形態において、ファン４６を駆動した状態において、プラテン２７と連続紙１２とを相対移動させてもよい。また、ファン４６による吸引力を弱めた状態において相対移動させてもよい。
【００８０】
・上記各実施形態において、吸引孔４４及びファン４６を設けない構成としてもよい。また、このときヒータ４８，４９，５０を不規則に配置したり、第１加熱部５２及び第２加熱部５３の配置間隔を広くしたりすることにより、プラテン２７の上面には、加熱部５２，５３に近い領域が高温領域となると共に、遠い領域が低温領域となるようにしてもよい。また、熱伝導率が異なる部材を用いて熱分布領域が異なるプラテン２７を形成することもできる。
【００８１】
・上記各実施形態において、相対移動方向において連続紙１２及びプラテン２７が移動する移動距離Ｄは、低温領域となる吸引孔４４の径よりも長くなってもよい。このようにしても、印刷領域Ａへインクの噴射を開始してから、印刷領域Ａの全域へのインクの噴射を終了するまでの間に、プラテン２７と連続紙１２を相対移動させることにより、非接触領域Ｃの周縁部に集中する色素成分の偏りを抑えることができる。すなわち、相対移動する度に低温領域に位置した連続紙１２の各領域の濃淡の発生を低減することができる。
【００８２】
・上記各実施形態において、印刷領域Ａは、プラテン２７と連続紙１２の相対移動に伴ってプラテン２７の上面から外れてもよい。このとき、プラテン２７から外れた領域には、インクの噴射が完了していることが望ましい。すなわち、キャリッジ３０を相対移動方向において移動させる対象となる連続紙１２又はプラテン２７を移動方向の下流側から相対移動方向と直交する方向に移動させながらインクを噴射する。このようにして、印刷領域Ａの全域に印刷を行うことで、プラテン２７と連続紙１２を相対移動させても、移動後にプラテン２７の上面から外れる領域には既に印刷が施されている。
【００８３】
・上記第１の実施形態において、連続紙１２を前後方向及び左右方向に移動させる移動手段を別途備えてもよい。また、第２の実施形態において、モータの駆動に伴ってプラテン２７を左右方向に移動するようにしてもよい。なお、移動手段は、連続紙１２及びプラテン２７を前後左右に移動可能としてもよい。
【００８４】
・上記各実施形態において、記録ヘッド３１からインクが印刷領域Ａに対して噴射されている状態において、プラテン２７と連続紙１２を相対移動させてもよい。
・上記各実施形態において、プラテン２７と連続紙１２の相対移動は、双方を移動させることにより行ってもよい。
【００８５】
・上記各実施形態において、印刷領域Ａのうち、キャリッジ３０は複数回にわたって同じ領域上を通過して、記録ヘッド３１からインクを噴射させるようにしてもよい。このとき、１回の通過で噴射されるインクの量は、噴射が必要なインクの量を通過回数で割った量となる。そのため、一回の噴射量を減らすことにより、連続紙１２上に着弾して流動性を有するインクが連続する領域は減少し、非接触領域Ｃに噴射されたインクにおいて接触領域Ｂに向かう流れの発生が抑制される。そして、連続紙１２のうち、低温領域と高温領域に位置する領域を変化させながらインクを噴射させることにより、続いて噴射されたインクの流れの向きは先に噴射されたインクの流れと異なる向きとすることができる。さらに、接触領域Ｂ上に少量噴射されたインクが乾燥して流動性を失ってから低温領域に位置させることにより、後に噴射されたインク内にて流れが発生するため、接触領域Ｂに向かうインクの流れを低減することができる。
【００８６】
・上記実施形態では、記録装置をインクジェット式プリンタ１１に具体化したが、この限りではなく、インク以外の他の液体（機能材料の粒子が分散されている液状体を含む）を噴射する液体噴射装置（記録装置の一種）に具体化することもできる。例えば、液晶ディスプレイ、ＥＬ（エレクトロルミネッセンス）ディスプレイ及び面発光ディスプレイの製造などに用いられる電極材や色材などの材料を分散または溶解のかたちで含む液状体を噴射する液体噴射装置、バイオチップ製造に用いられる生体有機物を噴射する液体噴射装置、精密ピペットとして用いられ試料となる液体を噴射する液体噴射装置であってもよい。そして、これらのうちいずれか一種の液体噴射装置に記録装置を適用することができる。
【００８７】
・上記実施形態では、記録装置をインクジェット式プリンタ１１に具体化したが、インク以外の他の液体を噴射したり吐出したりする液体噴射装置を採用してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【図面の簡単な説明】
【００８８】
【図１】第１の実施形態のインクジェット式プリンタの正面模式図。
【図２】同プリンタのプラテンの平面図。
【図３】（ａ）は連続紙を支持したプラテンの吸引孔付近を左右方向に沿って切断した場合の断面図、（ｂ）は（ａ）における平面図。
【図４】（ａ）は図３（ａ）の状態から印刷状態が進行した状態を説明する断面図、（ｂ）は（ａ）における平面図。
【図５】（ａ）は図４（ａ）の状態から印刷状態が進行した状態を説明する断面図、（ｂ）は（ａ）における平面図。
【図６】（ａ）は連続紙を支持したプラテンの吸引孔付近を前後方向に沿って切断した場合の断面図、（ｂ）は（ａ）における平面図。
【図７】（ａ）は図６（ａ）の状態から印刷状態が進行した状態を説明する断面図、（ｂ）は（ａ）における平面図。
【図８】（ａ）は図７（ａ）の状態から印刷状態が進行した状態を説明する断面図、（ｂ）は（ａ）における平面図。
【図９】（ａ）は従来のプリンタにおける印刷時の温度グラフ、（ｂ）は印刷状態の説明図、（ｃ）はインク乾燥後の連続紙の平面図。
【符号の説明】
【００８９】
１１…プリンタ（記録装置）、１２…連続紙（ターゲット）、２３…引き込み駆動ローラ（搬送手段）、２４…制御装置（制御手段）、２７…プラテン（支持部材）、３１…記録ヘッド（記録手段）、４０…送り出し駆動ローラ（搬送手段）、４３…巻き取り駆動軸（搬送手段）、４４…吸引孔、４６…ファン（吸引手段）、４７…加熱装置、Ａ…印刷領域（記録処理領域）、Ｄ…移動距離（相対移動距離）。
【図１】
0005187153.tif 000002
【図２】
0005187153.tif 000003
【図３】
0005187153.tif 000004
【図４】
0005187153.tif 000005
【図５】
0005187153.tif 000006
【図６】
0005187153.tif 000007
【図７】
0005187153.tif 000008
【図８】
0005187153.tif 000009
【図９】
0005187153.tif 000010